(57)【要約】【課題】光源を支持し、概ね平板状となる支持体の曲げ弾性係数を高めることができ、比較的大型の支持体の剛性を高めることができる光源装置及び表示装置を提供する。【解決手段】一面で光源を支持する略矩形の板部３１を有する支持体３の板部３１の他面に、長手方向に離隔した位置で該板部３１を補強する二つの補強杆６，６と、該補強杆６，６夫々の端部に結合され、板部３１を補強する第２補強杆７とを板部３１の周縁よりも内側に取付けて、二つの補強杆６，６と第２補強杆７とを一体構造とし、この一体構造の二つの補強杆６，６と第２補強杆７とが板部３１を補強し、概ね平板状となる支持体３の曲げ弾性係数を十分に高めることができるようにした。【選択図】図２
2010067518.tif 000002
【特許請求の範囲】
【請求項１】
一面で光源を支持する略矩形の板部を有する支持体を備える光源装置において、前記板部の他面は、長手方向に離隔した位置で該板部を補強する二つの補強杆と、該補強杆夫々の端部に結合され、前記板部を補強する第２補強杆とを前記板部の周縁よりも内側に取付けてあることを特徴とする光源装置。
【請求項２】
回路基板を支持する台板を備え、該台板を前記補強杆夫々に取付けてある請求項１記載の光源装置。
【請求項３】
前記台板は、略矩形をなし前記回路基板を一面で支持する支持板部と、該支持板部の両縁から一面側へ突出する二つの第１突片及び第１突片夫々の先端から互いに外向きに突出する第２突片とを有し、該第２突片を前記補強杆夫々に取付けてある請求項２記載の光源装置。
【請求項４】
前記第２補強杆は、前記補強杆夫々の離隔距離よりも長く、前記板部は、前記補強杆と離隔した位置にて前記第２補強杆に結合され、前記板部を補強する第３補強杆を取付けてある請求項１から３のいずれか一つに記載の光源装置。
【請求項５】
前記板部における前記補強杆夫々と前記第３補強杆との間部分に、前記光源に接続される第２回路基板を取付けてある請求項４記載の光源装置。
【請求項６】
前記第２回路基板に対する電磁波を遮断するカバーを備え、該カバーを前記補強杆及び第３補強杆に取付けてある請求項５記載の光源装置。
【請求項７】
前記台板は前記補強杆夫々に取付けられる被取付部を有し、該被取付部間に、前記台板を補強する複数の第４補強杆を取付けてある請求項２記載の光源装置。
【請求項８】
第３回路基板を支持する第２台板を備え、該第２台板を前記第４補強杆夫々に取付けてある請求項７記載の光源装置。
【請求項９】
前記第３回路基板は略四角形をなし、該第３回路基板の対向する両縁部夫々を前記第２台板に取付けてある請求項８記載の光源装置。
【請求項１０】
前記台板は前記第４補強杆夫々の間に欠除部を有し、前記板部の前記欠除部にて露出する露出位置に第４回路基板を取付けてある請求項７記載の光源装置。
【請求項１１】
一面で光源を支持する略矩形の板部を有する支持体を備える光源装置において、前記板部の他面は、長手方向に離隔した位置で該板部を補強する二つの補強杆を取付けてあり、該補強杆夫々に、回路基板を支持する台板を取付けてあり、該台板に複数の第２補強杆を取付けてあることを特徴とする光源装置。
【請求項１２】
第２回路基板を支持する第２台板を備え、該第２台板を前記第２補強杆夫々に取付けてある請求項１１記載の光源装置。
【請求項１３】
表側に表示面を有する表示部と、該表示部の裏側に配された請求項１から１２のいずれか一つに記載の光源装置とを備えることを特徴とする表示装置。
【発明の詳細な説明】
【技術分野】
【０００１】
本発明は液晶表示装置等の表示装置の光源として使用される光源装置及び表示装置に関する。
【背景技術】
【０００２】
テレビジョン等の表示装置は、画像を表示する表示面を前側に有する表示部の後側に光源装置が配されている。
【０００３】
光源装置は、例えば両端部に電極を有する複数本のランプ管と、略直方体をなす枠部及び該枠部の開放部を閉塞し、一面で前記ランプ管を支持する板部を有する支持体と、前記板部の他面に装置される電源基板等の複数の回路基板とを備える。前記板部の他面には、該板部の長手方向に離隔した位置で該板部を補強する三つの長補強材と、隣合う二つの長補強材の間に前記板部の長辺と平行的に配され、該板部を補強する短補強材とを取付けてある（例えば、特許文献１参照。）。
【特許文献１】特開２００６−３０９３６号公報
【発明の開示】
【発明が解決しようとする課題】
【０００４】
ところが、特許文献１のように支持体内にランプ管を支持する光源装置にあっては、枠部及び該枠部の開放部を閉塞する板部を有する支持体が深皿形となるため、光源装置の厚さが比較的厚くなり、薄型化に支障を来す。
ところで、テレビジョン等の表示装置は益々薄型化及び大型化になっている。しかし、特許文献１のようなランプ管を備える光源装置が使用されると、表示装置の薄型化に支障を来すことになり、改善策が要望されている。
【０００５】
光源装置の厚さを薄くするには、発光ダイオードを有する発光ダイオード基板と、該発光ダイオード基板を支持する支持体を備える構成とすることにより達成することができる。しかし、この光源装置にあっては、支持体が概ね平板状になるため、支持体の曲げ強度が不足し、光源装置の剛性が不十分となる。
【０００６】
平板状の支持体の曲げ強度を高めるには、特許文献１のように支持体に複数の補強材を取付けることが考えられる。
【０００７】
しかし、特許文献１の補強材は支持体に個別に取付けられ、補強材夫々は結合されていないため、概ね平板状となる支持体の曲げ弾性係数を十分に高めることができず、さらなる改善策が要望される。
【０００８】
本発明は斯かる事情に鑑みてなされたものであり、主たる目的は一面で光源を支持する略矩形の板部を有する支持体の板部の他面に、長手方向に離隔した位置で該板部を補強する二つの補強杆と、前記板部の縁よりも離隔した位置で前記補強杆夫々の端部に結合され、前記板部を補強する第２補強杆とを取付けてある構成とすることにより、板部の曲げ弾性係数を高めることができ、比較的大型の支持体が概ね平板状となる場合においても、該支持体の剛性を高めることができる光源装置及び表示装置を提供することにある。
【課題を解決するための手段】
【０００９】
本発明に係る光源装置は、一面で光源を支持する略矩形の板部を有する支持体を備える光源装置において、前記板部の他面は、長手方向に離隔した位置で該板部を補強する二つの補強杆と、該補強杆夫々の端部に結合され、前記板部を補強する第２補強杆とを前記板部の周縁よりも内側に取付けてあることを特徴とする。
【００１０】
この発明にあっては、二つの補強杆の一端に第２補強杆が結合され、コ字形をなす一体構造になっており、この一体構造の補強杆及び第２補強杆が支持体の板部の他面で、且つ該板部の周縁よりも内側に取付けられているため、該板部の曲げ弾性係数を高めることができ、比較的大型の支持体が概ね平板状になっても該支持体の剛性を高めることができる。
【００１１】
また、本発明に係る光源装置は、回路基板を支持する台板を備え、該台板を前記補強杆夫々に取付けてある構成とするのが好ましい。
この発明にあっては、板部の長手方向に離隔する二つの補強杆夫々に取付けてある台板が補強杆夫々を補強し、台板が一体構造の補強杆及び第２補強杆とともに板部を補強しているため、該板部の曲げ弾性係数をより一層高めることができ、比較的大型の支持体が概ね平板状になっても、該支持体の剛性を高めることができる。
【００１２】
また、本発明に係る光源装置は、前記台板は、略矩形をなし前記回路基板を一面で支持する支持板部と、該支持板部の両縁から一面側へ突出する二つの第１突片及び第１突片夫々の先端から互いに外向きに突出する第２突片とを有し、該第２突片を前記補強杆夫々に取付けてある構成とするのが好ましい。
この発明にあっては、板部の長手方向に離隔する二つの補強杆の内側に第１突起片が対向し、支持板部が板部の他面に接近するため、支持板部に支持する回路基板を前記補強杆夫々の間に配することができ、補強杆を設けた割に回路基板が支持する部品の外部への突出量を低減でき、光源装置を薄型化できる。
【００１３】
また、本発明に係る光源装置は、前記第２補強杆は、前記補強杆夫々の離隔距離よりも長く、前記板部は、前記補強杆と離隔した位置にて前記第２補強杆に結合され、前記板部を補強する第３補強杆を取付けてある構成とするのが好ましい。
この発明にあっては、一体構造のコ字形をなす二つの補強杆と第２補強杆とに第３補強杆が加わり、この第３補強杆が補強杆及び第２補強杆と一体構造になっており、この一体構造の補強杆、第２補強杆及び第３補強杆が支持体の板部の他面に取付けられているため、該板部の曲げ弾性係数を補強杆、第２補強杆及び第３補強杆により高めることができ、比較的大型の支持体が概ね平板状になっても該支持体の剛性をより一層高めることができる。
【００１４】
また、本発明に係る光源装置は、前記板部における前記補強杆夫々と前記第３補強杆との間部分に、前記光源に接続される第２回路基板を取付けてある構成とするのが好ましい。
この発明にあっては、細幅状の第２回路基板が取付けられる部分の剛性を補強杆及び第３補強杆により高めることができ、しかも、第２回路基板を補強杆及び第３補強杆により保護することができるため、第２回路基板の耐久性を高めることができる。
【００１５】
また、本発明に係る光源装置は、前記第２回路基板に対する電磁波を遮断するカバーを備え、該カバーを前記補強杆及び第３補強杆に取付けてある構成とするのが好ましい。
この発明にあっては、板部を補強する補強杆及び第３補強杆が電磁波を遮断するため、電磁波の遮断効果を高めることができ、しかも、電磁波を遮断するカバーが、補強杆及び第３補強杆と一体になり、このカバーと一体構造の補強杆が板部の他面に取付けられているため、該板部の曲げ弾性係数を補強杆、第２補強杆及び第３補強杆にてより一層高めることができ、比較的大型の支持体が概ね平板状になっても該支持体の剛性を高めることができる。
【００１６】
また、本発明に係る光源装置は、前記台板は前記補強杆夫々に取付けられる被取付部を有し、該被取付部間に、前記台板を補強する複数の第４補強杆を取付けてある構成とするのが好ましい。
この発明にあっては、複数の第４補強杆が台板を補強し、該台板が二つの補強杆及び板部を補強しているため、板部の曲げ弾性係数をより一層高めることができ、比較的大型の支持体が概ね平板状になっても、該支持体の剛性を高めることができる。
【００１７】
また、本発明に係る光源装置は、第３回路基板を支持する第２台板を備え、該第２台板を前記第４補強杆夫々に取付けてある構成とするのが好ましい。
この発明にあっては、第４補強杆とともに第２台板が台板を補強し、該台板が二つの補強杆とともに板部を補強しているため、板部の曲げ弾性係数をより一層高めることができ、比較的大型の支持体が概ね平板状になっても、該支持体の剛性を高めることができる。
【００１８】
また、本発明に係る光源装置は、前記第３回路基板は略四角形をなし、該第３回路基板の対向する両縁部夫々を前記第２台板に取付けてある構成とするのが好ましい。
この発明にあっては、第２台板に取付けてある第３回路基板を台板から離間隔離させることができ、該第２台板と台板との間に通気路を設けることができるため、該通気路により第３回路基板の放熱性を高めることができ、第３回路基板の耐久性を高めることができる。
【００１９】
また、本発明に係る光源装置は、前記台板は前記第４補強杆夫々の間に欠除部を有し、前記板部の前記欠除部にて露出する露出位置に第４回路基板を取付けてある構成とするのが好ましい。
この発明にあっては、比較的発熱量が多い第４回路基板を台板に支持することなく、支持体の板部に支持してあるため、第４回路基板が発生する熱が、台板に支持する回路基板に伝達されるのを抑制でき、台板に支持する回路基板の温度上昇を抑制でき、回路基板の耐久性を高めることができる。
【００２０】
また、本発明に係る光源装置は、一面で光源を支持する略矩形の板部を有する支持体を備える光源装置において、前記板部の他面は、長手方向に離隔した位置で該板部を補強する二つの補強杆を取付けてあり、該補強杆夫々に、回路基板を支持する台板を取付けてあり、該台板に複数の第２補強杆を取付けてあることを特徴とする。
この発明にあっては、板部の長手方向に離隔する二つの補強杆夫々及び台板が一体構造となり、この一体構造の補強杆及び台板が板部を補強しているため、該板部の曲げ弾性係数をより一層高めることができ、比較的大型の支持体が概ね平板状になっても、該支持体の剛性を高めることができる。
【００２１】
また、本発明に係る光源装置は、第２回路基板を支持する第２台板を備え、該第２台板を前記第２補強杆夫々に取付けてある構成とするのが好ましい。
この発明にあっては、第２補強杆とともに第２台板が台板を補強し、該台板が二つの補強杆とともに板部を補強しているため、板部の曲げ弾性係数をより一層高めることができ、比較的大型の支持体が概ね平板状になっても、該支持体の剛性を高めることができる。
【００２２】
また、本発明に係る表示装置は、表側に表示面を有する表示部と、該表示部の裏側に配される上述した発明の光源装置とを備えることを特徴とする。
この発明にあっては、二つの補強杆の一端に第２補強杆が結合され、コ字形をなす一体構造になっており、この一体構造の補強杆及び第２補強杆が支持体の板部の他面で、且つ該板部の周縁よりも内側に取付けられているため、該板部の曲げ弾性係数を高めることができ、比較的大型の支持体が概ね平板状になっても該支持体の剛性を高めることができ、ひいては表示装置の耐久性を高めることができる。
【発明の効果】
【００２３】
本発明によれば、二つの補強杆の一端に第２補強杆が結合され、コ字形をなす一体構造になっており、この一体構造の補強杆及び第２補強杆が支持体の板部の他面で、且つ該板部の周縁よりも内側に取付けられているため、該板部の曲げ弾性係数を高めることができ、比較的大型の支持体が概ね平板状になっても該支持体の剛性を高めることができる。
【発明を実施するための最良の形態】
【００２４】
以下本発明をその実施の形態を示す図面に基づいて詳述する。図１は表示装置に組込まれる光源装置の構成を示す背面図、図２は光源装置の台板及びカバーを取外した状態の構成を示す背面図、図３は光源装置の台板及びカバーを取外し、一部を分解した構成を示す背面図、図４は光源装置の光源部分の構成を示す模式的断面図、図５は光源装置の構成を示す模式的断面図、図６は光源の構成を示す模式的説明図、図７は補強杆の構成を示す斜視図、図８は補強杆の取付部の構成を示す拡大断面図、図９は支持体に台板が取付けられた状態の構成を示す背面図、図１０は台板の構成を示す背面図、図１１はカバーが取付けられた状態の構成を示す一部の斜視図、図１２はカバーが取付けられた状態の構成を示す一部の背面図、図１３はカバーが取付けられた状態の構成を示す拡大断面図である。
【００２５】
図示した光源装置は、前側に表示面を有し、略直方体をなす表示部を備える薄型の表示装置における表示部の後側に装着されるもので、碁盤目のように並置される複数の発光ダイオード１と、該発光ダイオード１を実装してある複数の発光ダイオード基板２と、該発光ダイオード基板２を並べて支持する支持体３と、発光ダイオード１が発光した光を横方向へ導く複数の導光板４と、該導光板４が導いた光を支持体３と反対方向へ反射させる複数の反射板５とを備える。
【００２６】
支持体３は金属板を成形してなり、略矩形をなす平板状の板部３１を有し、該板部３１の一面で複数の発光ダイオード基板２を長手方向及び幅方向に並べて支持してあり、該発光ダイオード基板２夫々と板部３１との間に、発光ダイオード１が発生した熱を発光ダイオード基板２から板部３１へ放熱する放熱板３０を介在してある。また、板部３１には該板部３１の長手方向に並置される発光ダイオード基板２同士を導線で接続するため複数の接続用孔３２と、導光板４夫々を個別に取付けるための複数の取付孔３３とが開設されている。また、板部３１の周縁部には板厚方向へ偏倚する段部３４が設けられており、該段部３４と発光ダイオード基板２との間に導光板４夫々の一部を支持する細長状の第１支持板１１が取付けられ、段部３４よりも周縁側に後記する光学シートを支持する細長状の第２支持板１２が取付けられる。
【００２７】
発光ダイオード基板２は略矩形をなし、一面で発光ダイオード１を実装してあり、板部３１の一面に並べて取付けられている。
【００２８】
導光板４は、入光面４ａと、該入光面４ａに入光した光を入光面４ａとほぼ直交する方向へ照射する出光面４ｂとを有し、発光ダイオード１の一側と対向する位置に入光面４ａを配し、前記表示部の後側の面と対向する位置に出光面４ｂを配してあり、出光面４ｂと反対側の面に反射板５が貼付けられている。
【００２９】
以上のように一面に発光ダイオード基板２が取付けられた板部３１の他面には、長手方向に離隔した位置で該板部３１を補強する二つの補強杆６と、該補強杆６夫々の一端及び板部３１の長辺との間で補強杆６夫々の端部に結合され、板部３１を補強する第２補強杆７と、第２補強杆７の両端部に結合され、補強杆６，６と平行的に配されて板部３１を補強する第３補強杆１０，１０との夫々を複数の間座部材６０を介して複数の雄螺子１３により取付けてある。
【００３０】
補強杆６及び第３補強杆１０は金属板を断面コ字形に成形してなり、板部３１の幅よりも短い長さに形成されている。一方の隣合う補強杆６及び第３補強杆１０は、比較的狭い離隔距離で板部３１の長手方向一側部に並置され、他の隣合う補強杆６及び第３補強杆１０は、比較的狭い離隔距離で板部３１の長手方向他側部に並置されている。また、補強杆６及び第３補強杆１０の両端には挿通孔を有する被結合部６１、１０ａを設けてあり、長手方向の中間には複数の第１孔６２，１０ｂ及び第２孔６３，１０ｃが開設されている。
【００３１】
第２補強杆７は金属板を断面コ字形に成形してなり、板部３１の長さよりも短い長さに形成され、両端部夫々に二つの被結合部７１，７１が設けられている。第２補強杆７は板部３１の縁よりも中央側へ離隔した位置に板部３１の長辺と平行的に配され、一端部の二つの被結合部７１，７１が補強杆６及び第３補強杆１０の一端部の被結合部６１，１０ａに雄螺子１４により結合されているとともに板部３１に固定されており、他端部の二つの被結合部７１，７１が補強杆６及び第３補強杆１０の一端部の被結合部６１，１０ａに雄螺子１４により結合されているとともに板部３１に固定されている。
【００３２】
板部３１の長手方向一側部に並置してある補強杆６及び第３補強杆１０の間の板部３１には、発光ダイオード基板２に接続される電源回路基板１５が複数の雄螺子により取付けられており、板部３１の長手方向他側部に並置してある補強杆６及び第３補強杆１０の間の板部３１には、発光ダイオード基板２に接続され、発光ダイオードを制御する制御回路基板１６が複数の雄螺子により取付けられており、また、板部３１の長手方向中央で、第２補強杆７と反対側には前記表示部を制御する制御回路基板１７が複数の雄螺子により取付けられている。
【００３３】
また、板部３１の長手方向一側部に並置してある補強杆６及び第３補強杆１０には、電源回路基板１５を被覆し、該電源回路基板１５に対する電磁波を遮断するカバー１８を複数の雄螺子により取付けられており、板部３１の長手方向他側部に並置してある補強杆６及び第３補強杆１０には、制御回路基板１６を被覆し、該制御回路基板１６に対する電磁波を遮断するカバー１９を複数の雄螺子により取付けられている。
【００３４】
第２補強杆７により一端部が結合された補強杆６，６には、前記表示部に電源を供給する電源回路基板２０、及び前記表示部の表示面に表示される画像を処理する端子回路基板２１等の複数の回路基板を支持する台板８が取付けられている。
【００３５】
台板８は金属板を成形してなり、一面で電源回路基板２０及び端子回路基板２１を支持し、略矩形をなす支持板部８１と、該支持板部８１の長手方向両縁から一面側へ突出する二つの第１突片８２，８２及び第１突片８２，８２の先端から互いに外向きに突出する被取付部としての第２突片８３，８３とを有し、第２突片８３，８３に複数の取付孔が開設されており、第２孔６３に挿入する雄螺子により第２突片８３，８３を補強杆６，６に取付けられている。台板８は他面が板部３１と離隔して対向し、発光ダイオード１の発光により発生する熱が板部３１から台板８へ直接伝達されないようにしてある。
【００３６】
支持板部８１の長手方向両端間には、台板８を補強する二つの第４補強杆９，９が長手方向に離隔して取付けられており、該第４補強杆９，９の長手方向中間に二つの第２台板２２，２２が取付けられている。また、支持板部８１の長手方向中央部で、第４補強杆９，９の間には制御回路基板１７に対応する欠除部８４が設けられている。
【００３７】
欠除部８４は支持板部８１の長辺に凹形に開放された貫通する孔であり、欠除部８４にて露出する板部３１の露出位置に、制御回路基板１７を支持する第３台板２３が複数の雄螺子により取付けられている。
【００３８】
第４補強杆９，９は金属板を断面コ字形に成形してなり、支持板部８１の幅よりも若干短い長さに形成されている。第４補強杆９，９の一端には挿通孔を有する被結合部９１を設けてあり、長手方向の中間には複数の第３孔を開設してある。
【００３９】
第２台板２２は金属板を比較的細幅に成形してなり、板部３１の長手方向一側部で内側に配してある補強杆６，６から一方の第４補強杆９を跨越して配されている他方の第４補強杆９に至る長さに形成されている。第２台板２２は第４補強杆９，９の長手方向へ離隔して並置され、一端部が補強杆６の長手方向中間に雄螺子にて取付けられ、他端部及び中間部が二つの第４補強杆９，９の長手方向中間に雄螺子にて取付けられている。
【００４０】
電源回路基板２０は略四角形をなし、該電源回路基板２０の対向する両縁部夫々を第２台板２２に雄螺子により取付けてある。
【００４１】
以上のように構成された光源装置の支持体３は、二つの補強杆６及び二つの第３補強杆１０の一端に第２補強杆７が結合され、一体構造のコ字形をなし、この一体構造の補強杆６、第３補強杆１０及び第２補強杆７が支持体３の板部３１に取付けられ該板部３１と一体構造になっているため、平板状の支持体３の曲げ弾性係数を十分に高めることができる。
【００４２】
また、電源回路基板２０を支持する台板８を二つの補強杆６，６に取付けてあり、台板８が支持体３の板部３１を補強しているため、支持体３の曲げ弾性係数をより一層高めることができる。
【００４３】
また、補強杆６及び第３補強杆１０は板部３１の長手方向一側部と他側部とに夫々二つを並置し、二つの補強杆６及び第３補強杆１０にカバー１８，１９を取付けてあり、該カバー１８，１９が板部３１を補強しているため、支持体３の曲げ弾性係数をより一層高めることができる。
【００４４】
図１４は本発明に係る光源装置の他の構成を示す背面図、図１５は台板の他の構成を示す背面図である。この光源装置は、台板８の欠除部８４を、支持板部８１の長辺と離隔した位置にて貫通する例えば四角形をなす孔としたものであり、この欠除部８４に露出する板部３１に制御回路基板１７が取付けられている。
【００４５】
図１６は本発明に係る光源装置の他の構成を示す背面図である。この光源装置は、第２補強杆７をなくし、板部３１の長手方向に離隔して取付けられた二つの補強杆６，６に台板８の第２突片８３，８３を取付け、該台板８の支持板部８１に二つの第４補強杆９，９を支持板部８１の長手方向に離隔して取付け、第４補強杆９，９と、台板８と二つの補強杆６，６とが一体構造となり、この一体構造の第４補強杆９，９、台板８及び補強杆６，６が板部３１を補強する構成としたものである。この実施の形態にあっては、上述した実施の形態と同様、電源回路基板２０を支持する第２台板２２，２２を第４補強杆９，９夫々に取付ける。
【００４６】
図１７は本発明に係る光源装置を備える表示装置の構成を示す断面図である。この表示装置は、テレビ画像を表示する表示面を前側に有する表示部４０と、該表示部４０の後側に配されている光源装置Ａと、表示部４０の周縁部及び光源装置Ａの後側を被覆するキャビネット４１とを備える。
【００４７】
表示部４０は、表示面を有する表示パネル４２と、該表示パネル４２の後側に配されている光学シート４３とを有する。表示パネル４２の周縁部は、前保持枠体４４と、後保持枠体４５とにより前後に挾着保持され、パネルモジュールを構成しており、後保持枠体４５が支持体３の周縁部に取付けられている。
【００４８】
光学シート４３は、光源としての発光ダイオード１が発光した光を拡散する比較的厚肉の二枚の拡散板４３ａと、反射偏光板、プリズムシート、拡散シート等の比較的薄肉の合成樹脂シート４３ｂが積層された積層体であり、拡散板４３ａの周縁部が第２支持板１２を介して支持体３の周縁部に支持されている。
【００４９】
キャビネット４１は、表示部４０の周縁部前側を被覆するキャビネット前分体４１ａと、光源装置Ａの周縁部及び後側を被覆する深皿形状のキャビネット後分体４１ｂとを有し、支持体３の周縁に雄螺子により取付けられている。
【００５０】
尚、以上説明した実施の形態では、光源として発光ダイオード１を備える構成としたが、その他、ランプを有する光源であってもよく、光源の構成は特に制限されない。
【００５１】
また、以上説明した実施の形態では、一体部の長手方向両側に補強杆６及び第３補強杆１０を夫々並置し、二つの補強杆６及び二つの第３補強杆１０の一端部に第２補強杆７を結合してある構成としたが、その他、第３補強杆１０は必ずしも必要でない。
【００５２】
また、以上説明した実施の形態では、回路基板を支持する台板を備える構成としたが、その他、台板がなく、板部に回路基板が取付けられる構成としてもよい。
【図面の簡単な説明】
【００５３】
【図１】本発明に係る表示装置に組込まれる光源装置の構成を示す背面図である。
【図２】本発明に係る光源装置の台板及びカバーを取外した状態の構成を示す背面図である。
【図３】本発明に係る光源装置の台板及びカバーを取外し、一部を分解した構成を示す背面図である。
【図４】本発明に係る光源装置の光源部分の構成を示す模式的断面図である。
【図５】本発明に係る光源装置の構成を示す模式的断面図である。
【図６】本発明に係る光源装置の光源の構成を示す模式的説明図である。
【図７】本発明に係る光源装置の補強杆の構成を示す斜視図である。
【図８】本発明に係る光源装置の補強杆の取付部の構成を示す拡大断面図である。
【図９】本発明に係る光源装置の支持体に台板が取付けられた状態の構成を示す背面図である。
【図１０】本発明に係る光源装置の台板の構成を示す背面図である。
【図１１】本発明に係る光源装置のカバーが取付けられた状態の構成を示す一部の斜視図である。
【図１２】本発明に係る光源装置のカバーが取付けられた状態の構成を示す一部の背面図である。
【図１３】本発明に係る光源装置のカバーが取付けられた状態の構成を示す拡大断面図である。
【図１４】本発明に係る光源装置の他の構成を示す背面図である。
【図１５】本発明に係る光源装置の台板の他の構成を示す背面図である。
【図１６】本発明に係る光源装置の他の構成を示す背面図である。
【図１７】本発明に係る光源装置を備える表示装置の構成を示す断面図である。
【符号の説明】
【００５４】
１    発光ダイオード（光源）
２    発光ダイオード基板
３    支持体
３１  板部
６    補強杆
７    第２補強杆
８    台板
８１  支持板部
８２  第１突片
８３  第２突片（被取付部）
８４  欠除部
９    第４補強杆
１０  第３補強杆
１５  電源回路基板（第２回路基板）
１６  制御回路基板（第２回路基板）
１８，１９  カバー
２０  電源回路基板（第３回路基板）
２１  端子回路基板（回路基板）
２２  第２台板
４０  表示部
Ａ  光源装置
【図１】
2010067518.tif 000003
【図２】
2010067518.tif 000004
【図３】
2010067518.tif 000005
【図４】
2010067518.tif 000006
【図５】
2010067518.tif 000007
【図６】
2010067518.tif 000008
【図７】
2010067518.tif 000009
【図８】
2010067518.tif 000010
【図９】
2010067518.tif 000011
【図１０】
2010067518.tif 000012
【図１１】
2010067518.tif 000013
【図１２】
2010067518.tif 000014
【図１３】
2010067518.tif 000015
【図１４】
2010067518.tif 000016
【図１５】
2010067518.tif 000017
【図１６】
2010067518.tif 000018
【図１７】
2010067518.tif 000019